(57)【要約】【課題】洗浄用の水が便座の上面に這い上がることなく、便座の下面を洗浄することが可能な便座装置を提供する。【解決手段】便座装置１は、便座３の下面３Ａの内周縁１５の略全周にわたって、吐水口１７が形成されている。そして、吐水口１７は、便座３の開口７側の内側から外側に向けられている。便座３の下面３Ａを洗浄する場合には、便座３の内周縁から外側へ向けて吐水している。すなわち、便座３の内側から外側へ吐水している。便座３の内側の開口７へ向かう水がないので、洗浄用の水は、便座３の開口７から、便座３の上面３Ｂへ這い上がるおそれはない。【選択図】図１
2018051145.tif 000002
【特許請求の範囲】
【請求項１】
便器本体部の上部に配され、中央に開口を有する便座を有する便座装置であって、
前記便座の下面には、前記下面を水で洗浄する便座洗浄装置の吐水口が備えられ、前記吐水口は、前記開口側の内側から外側に向けられている便座装置。
【請求項２】
前記吐水口は、前記便座の内周縁、又は内周縁近傍に設置されている請求項１に記載の便座装置。
【請求項３】
前記吐水口からの水の吐水方向は、前記吐水口と最も近い位置の内周縁上の点における内周縁の接線に対して、０度以上９０度未満の角度に設定されている請求項２に記載の便座装置。
【請求項４】
前記便座の下面には、前記開口側の内側から外側に向けて斜め下方に下る傾斜面が形成されており、前記便器洗浄装置から前記傾斜面に向けて吐水する請求項１〜３のいずれか１項に記載の便座装置。
【発明の詳細な説明】
【技術分野】
【０００１】
本発明は便座装置に関する。
【背景技術】
【０００２】
従来、便座の下面を洗浄すべく、便座の下面に洗浄水を吐水する技術が知られている。例えば、下記特許文献１には、便座の下面の外縁側の近傍から洗浄用の水を吐水する構成が記載されている。この構成においては、便座の下面を全体的に洗浄するために、外縁側から内縁側に向かう水流の成分が必要である。
【先行技術文献】
【特許文献】
【０００３】
【特許文献１】特開２００２−５４２１６号公報
【発明の概要】
【発明が解決しようとする課題】
【０００４】
しかしながら、この内縁側に向かう水流のために、便座中央の開口から洗浄用の水が這い上がり、便座の上面に付着するおそれがある。便座の上面に付着した水は、除去が困難である。
【０００５】
本発明は、上記従来の実情に鑑みてなされたものであって、洗浄用の水が便座の上面に這い上がることなく、便座の下面を洗浄することが可能な便座装置を提供することを目的とする。
【課題を解決するための手段】
【０００６】
本発明の便座装置は、便器本体部の上部に配され、中央に開口を有する便座を有する便座装置であって、前記便座の下面には、前記下面を水で洗浄する便座洗浄装置の吐水口が備えられ、前記吐水口は、前記開口側の内側から外側に向けられている。
【０００７】
本発明に係る便座装置は、便座の下面に、便座洗浄装置の吐水口が備えられている。そして、吐水口は、便座の開口側の内側から外側に向けられている。従って、便座の内側から外側に洗浄用の水が吐水されるから、洗浄用の水が便座の内周縁から上面に這い上がることなく、便座の下面を洗浄できる。
【図面の簡単な説明】
【０００８】
【図１】実施例１の便座装置の便座の底面図である。
【図２】実施例１の便座装置の便座の底面図である。
【図３】図１のＩ−Ｉ線断面図である。
【図４】実施例２の便座装置の便座の底面図である。
【図５】実施例２の便座装置の便座の部分底面図である。
【図６】実施例２の便座装置を備えた便器の断面図である。
【図７】他の実施例（１）の便座装置の断面図である。
【図８】他の実施例（２）の便座装置の断面図である。
【図９】他の実施例（３）の便座装置の断面図である。
【図１０】他の実施例（４）の便座装置の断面図である。
【発明を実施するための形態】
【０００９】
本発明における好ましい実施の形態を説明する。
【００１０】
本発明の便座装置において、吐水口は、便座の内周縁、又は便座の内周縁近傍に設置されていることが好ましい。内周縁、又は内周縁近傍から吐水することで、便座の下面の広い範囲を洗浄することが可能である。なお、本明細書において、「近傍」とは、内周縁から２０ｍｍ以内を意味し、好ましくは１０ｍｍ以内を意味する。
【００１１】
本発明の便座装置において、吐水口からの水の吐水（噴射）方向は、吐水口と最も近い位置の内周縁上の点における内周縁の接線に対して、０度以上９０度未満の角度に設定されていることが好ましい。このようにすることで、以下の効果が奏される。すなわち、水の吐水方向を、吐水口と最も近い位置の内周縁上の点における接線に対して、９０度とする場合に比べて、０度以上９０度未満の角度に設定すると、水が便座の下面を通過する経路を長くすることができ、水を有効に利用することができる。
また、このようにすることで、水が便座の下面を通過する経路を長くすることができるから、吐水口の設置箇所を削減しても、便座の下面のほぼ全周を洗浄可能である。
【００１２】
本発明の便座装置において、便座の下面には、開口側の内側から外側に向けて斜め下方に下る傾斜面が形成おり、前記便器洗浄装置から前記傾斜面に向けて吐水する構成が好ましい。このようにすることで、別途特別な部材を設けなくても、便座洗浄装置から吐水された水を傾斜面に沿わせて落下させて、便座から除去することができる。
【００１３】
次に、本発明の便座装置を具体化した実施例１について、図面を参照しつつ説明する。
【００１４】
＜実施例１＞
実施例１の便座装置１は、図１の底面図に示す便座３を備えている。この便座３は、図３の断面図（図１のＩ−Ｉ線断面図）に示すように、便器本体部５の上部に配されている。便座３は、図１に示すように、その中央に、前後に若干長い略円形の開口７を有している。便座３は、開口７周りに、所定幅をもち着座するための環状部９を有している。便座３の後方位置（図１の下方位置）には、ケーシング１１が備えられている（図１参照）。ケーシング１１内には、図１に示すように、便座洗浄装置の給水バルブ装置１３が収納されている。ケーシング１１は、メンテナンスのために、開閉自在な構成とされている。
【００１５】
図１に示すように、便座３の下面３Ａの内周縁１５には、吐水口１７が内周縁１５の略全周にわたって形成されている。吐水口１７には、上下方向（厚さ方向）に薄く、かつ幅方向に広い扁平なスリット１７Ａが形成されている。スリット１７Ａによって、水を薄膜状に吐水できる構成とされている。吐水口１７は、連結管１９により、ケーシング１１内の給水バルブ装置１３と連結されている。給水バルブ装置１３から水が供給されると、連結管１９を通じて吐水口１７に水が行き渡り、吐水口１７から水が吐水される構成とされている。図１における矢印は、水の吐水方向を示しており、便座３の内側から外側へ水が放射状に吐水される様子を模式的に表現している。
【００１６】
吐水口１７の好ましい配置について、図２を参照しつつ説明する。吐水口１７の位置は、図２の斜線で示すように、便座３の内周縁１５、又は内周縁１５の近傍（内周縁から４０ｍｍ以内、好ましくは２０ｍｍ以内）に設置されることが好ましい。仮に内周縁１５から離れた位置に吐水口１７を配して、吐水口１７から外側に向けて吐水すると、吐水口１７の位置よりも内側は、洗浄することができない。実施例１では、図１に示すように、内周縁から外側へ向けて吐水することで、便座３の下面３Ａの広い範囲を洗浄できる。従来の構成（特開２００２−５４２１６号公報の構成）では、便座３の下面３Ａを洗浄する水は、便座３の内側の開口７へ向かう成分があるため、便座３の開口７から便座３の上面３Ｂへ這い上がるおそれがあった。実施例１では、便座３の下面３Ａを洗浄する場合には、便座３の内周縁１５から外側へ向けて吐水している。すなわち、便座３の内側から外側へ吐水されており、図１に示すように、便座３の内側の開口７へ向かう水がないので、開口７から、便座３の上面３Ｂへ這い上がることを抑制できる。
【００１７】
便座３の下面３Ａには、図３に示すように、傾斜面２１が形成されている。傾斜面２１は、便座３の開口７側の内側から外側に向けて斜め下方に下っている。傾斜面２１の上端部２１Ａに吐水口１７が配されている。吐水口１７からの水の吐水方向は、内側から外側であり、図３における右側から左側である。実施例１では、吐水方向は、ほぼ水平とされている。便座洗浄装置の給水バルブ装置１３から供給された水は、吐水口１７から傾斜面２１に向けて吐水される。吐水された水は、傾斜面２１にガイドされつつ、重力により下方へ移動して落下する。
【００１８】
便座３の下面３Ａには、撥水処理が施されている。撥水処理の方法は、特に限定されず、公知の方法を適宜選択できる。例えば、撥水剤をコーティングして撥水層を形成する方法が例示される。撥水処理を施すと、下面３Ａに吐水された水が、弾かれて略球形になり、落下しやすくなる。
【００１９】
図３に示すように、便座３の傾斜面２１の下端部２１Ｂは、便器本体部５の上面部５Ａよりも低くされている。そして、傾斜面２１の下端部２１Ｂは、便器本体部５の上面部５Ａよりも内側に位置している。このような位置関係にすることで、傾斜面２１を重力により落下する水が、便器本体部５の内側面５Ｂに受け渡される構成とされている。また、傾斜面２１の下端部２１Ｂは、便器本体部５の内側面５Ｂと近接しており、下端部２１Ｂの先端から便器本体部５の内側面５Ｂにスムーズに水が受け渡される。なお、「近接」とは、０．５ｍｍ〜３０ｍｍを意味する。
【００２０】
＜実施例１の効果＞
実施例１の便座装置１では、便座３の下面３Ａの内周縁１５には、吐水口１７が内周縁１５の略全周にわたって形成されている。そして、吐水口１７は、便座３の開口７側の内側から外側に向けられている。従来、便座３の下面３Ａを洗浄する水は、便座３の開口７の方向に向いた水流もあるため、便座３の開口７から便座３の上面３Ｂへ這い上がるおそれがあった。実施例１では、便座３の下面３Ａを洗浄する場合には、便座３の内周縁１５から外側へ向けて吐水されている。すなわち、便座３の内側から外側へ吐水されている。このように、便座３の内側の開口７へ向かう水がないので、便座３の開口７から、便座３の上面３Ｂへ水が這い上がることを抑制できる。
【００２１】
実施例１の便座装置１では、吐水口１７は、便座３の内周縁１５に設置されている。仮に内周縁１５から離れた位置に吐水口１７を配して、吐水口１７から外側に向けて吐水すると、吐水口１７の位置よりも内側は、洗浄することができない。この場合に、吐水口１７よりも内側を洗浄しようとすると、便座３の内側の開口７へ水が向かうことになるので、水が便座３の開口７から、便座３の上面３Ｂへ這い上がる可能性がある。実施例１では、内周縁１５から外側へ向けて吐水するので、便座３の開口７からの水の這い上がりを抑制しつつ、便座３の下面３Ａの広い範囲を洗浄可能である。
【００２２】
実施例１の便座装置１では、便座３の下面３Ａには、傾斜面２１が形成されており、傾斜面２１は、便座３の開口７側の内側から外側に向けて斜め下方に下っている。傾斜面２１の上端部２１Ａに吐水口１７が配され、吐水口１７からは水が内側から外側に吐水される。吐水された水は、傾斜面２１に当たって、この傾斜面２１に沿って、重力により落下する。従って、実施例１の便座装置１は、特別な部材を用いることなく、便座３の下面３Ａに傾斜面２１を設けることにより、便座３の下面３Ａに付着した水を効率的に除去できる。
【００２３】
実施例１の便座装置１では、便座３の傾斜面２１の下端部２１Ｂは、便器本体部５の上面部５Ａよりも低くされ、傾斜面２１の下端部２１Ｂは、便器本体部５の上面部５Ａよりも内側に位置している。傾斜面２１を重力の作用により落下する水は、傾斜面の下端部２１Ｂまで到達すると、便器本体部５の内側面５Ｂに受け渡される。この際、傾斜面２１の下端部２１Ｂは、便器本体部５の内側面５Ｂと近接しており、下端部２１Ｂの先端から便器本体部５の内側面５Ｂへ、確実かつスムーズに水が受け渡される。
【００２４】
実施例１の便座装置１では、便座３の下面３Ａに、撥水処理が施されている。仮に、便座３の下面３Ａに撥水処理が施されておらず、親水性の場合には、吐水された水は、水滴にならず便座３の下面３Ａに広がってしまう。このような状態では、水は落下しにくい傾向にある。実施例１の便座装置１では、撥水処理が施されているから、吐水された水は、水滴となって落下しやすい。従って、短時間で付着した水を除去できる。
なお、実施例１の便座装置１では、図３に示すように、便座３の下側の外縁寄りの部分には、内側に向けて凹んだ凹部４が形成され、凹部４は、便器本体部５の上面部５Ａに当接する面４Ａと、便器本体部５の内側面５Ｂに沿った面４Ｂとを有している。凹部４は、吐水口１７からみて隠れた内側の位置にあり、汚れにくい部位とされている。
また、実施例１の便座装置１では、図３に示すように、便器本体部５に直接、便座３を載せた態様を示しているが、便座３にゴム等からなる足を設けて、この便座３を便器本体部５に載せた態様も採用できる。この場合には、便座３が便器本体部５から離隔した部分が形成される。この場合においても、便座３の傾斜面２１の下端部２１Ｂは、便器本体部５の上面部５Ａよりも低くされ、傾斜面２１の下端部２１Ｂは、便器本体部５の上面部５Ａよりも内側に位置するので、洗浄用の水が外側に飛びにくい。
【００２５】
＜実施例２＞
次に、実施例２に係る便座装置について、図４〜図６を参照しつつ説明する。なお、実施例２に係る便座装置において、上記実施例１の便座装置と略同じ構成部位には同符号を付けて、構造、作用及び効果の説明は省略する。実施例２では、次の点が、実施例１と相違している。
【００２６】
実施例２では、図４に示すように、複数、具体的には４つの吐水口１１７が、便座３の内周縁１５近傍に設けられている。各吐水口１１７からの水の吐水方向は、図５に示すように、吐水口１１７と最も近い位置の内周縁上の点における内周縁の接線Ｌに対して、０度以上９０度未満の角度に設定されている。つまり、図５におけるθが０度以上９０度未満の角度とされている。なお、図４に示すように、各吐水口１１７は、内周縁１５上を略等間隔に設置されている。ここで、略等間隔とは、各間隔が同じである場合、各間隔が仮に異なっていてもその差が５０ｍｍ以内である場合を意味する。
【００２７】
また、実施例２の場合には、各吐水口１１７から吐水される水の幅が、吐水口１１７から遠ざかるにつれて広がっている。この様子を、図４に示す矢印の幅により概念的に示している。このようにすると、吐水口１１７から吐水される水が拡散するから、各吐水口１１７から吐水される水により洗浄できる範囲が広くなる。但し、この場合には、便座３の開口７から便座３の上面３Ｂへ、洗浄の水が這い上がらないように、各吐水口１１７の洗浄範囲が開口７と重ならないように設定する。なお、各吐水口１１７から吐水される水の幅が、広がらない態様も採用できる。すなわち、各吐水口１１７から吐水される水の幅が、広がらずに略直進する態様である。
【００２８】
ここで、実施例２の作用効果について説明する。水の吐水方向を、吐水口１１７と最も近い位置の内周縁上の点における接線に対して、９０度とする場合に比べて、実施例２のように、０度以上９０度未満の角度に設定すると、水が便座３の下面３Ａを通過する経路を長くすることができる。すなわち、この角度を９０度にすると、吐水口１１７から吐水された水は、便座３の下面３Ａを最短距離で横断するように通過してしまう。従って、便座３の下面３Ａの全面を洗浄するためには、便座３の下面３Ａの内周縁１５の略全周にわたって、吐水口１１７を形成する必要がある。一方、９０度未満の角度に設定すると、水が便座３の下面３Ａを通過する経路を長くすることができる。すなわち、この場合には、図４、図５に示すように、水は、便座３の下面３Ａを斜めに横断するように通過する。このように、９０度未満の角度に設定すると、水が便座３の下面３Ａを通過する経路を長くすることができるから、吐水口１１７の設置箇所を削減しても、便座３の下面３Ａのほぼ全周を洗浄可能である。よって、実施例２に係る便座装置１は、構造を簡略化できコストの観点から有利である。また、この便座装置１は、少ない水により、便座３の下面３Ａのほぼ全面を洗浄可能であるから、節水の観点からも有利である。なお、上述の角度を０度未満とすると、便座３の下面３Ａに水が掛かりにくくなり、洗浄効率が低下するため好ましくない。また、本実施例では、上述の角度を０度以上とすることで、便座３の上面３Ｂへの水の這い上がりを抑制している。
なお、各吐水口１１７を、内周縁１５上で、おおよそ等間隔に設置するとともに、上述のように吐水の角度を所定の角度に設定すると、図４に示すように、全体として水を旋回状に流すことができる。この場合には数少ない吐水口１７により便座３の下面３Ａを効率的に全面洗浄できる。さらに、本実施例では、便座３から、便器本体部５に流れる水も旋回状にすることができ、便器本体部５の洗浄にも効果的である。
【００２９】
＜他の実施例＞
本発明は上記記述及び図面によって説明した実施例に限定されるものではなく、例えば次のような実施例も本発明の技術的範囲に含まれる。
【００３０】
（１）実施例１、２では、特定形状の便座３、特定形状の便器本体部５を用いて説明したが、図７〜図１０に示す、便座１０３、２０３、３０３、４０３、便器本体部１０５、２０５、３０５、４０５を用いてもよい。図７は、他の実施例（１）を示し、図８は、他の実施例（２）を示し、図９は、他の実施例（３）を示し、図１０は、他の実施例（４）を示す。
図７、図９、図１０に示す他の実施例（１）（３）（４）の便座装置では、便座１０３、３０３、４０３の下面１０３Ａ、３０３Ａ、４０３Ａに形成された各傾斜面１２１、３２１、４２１の下端部１２１Ｂ、３２１Ｂ、４２１Ｂは、それぞれ便器本体部１０５、３０５、４０５の上面部１０５Ａ、３０５Ａ、４０５Ａに接している。このように、傾斜面１２１、３２１、４２１の下端部１２１Ｂ、３２１Ｂ、４２１Ｂが、便器本体部１０５、３０５、４０５の上面部１０５Ａ、３０５Ａ、４０５Ａに接していると、水を傾斜面１２１、３２１、４２１から便器本体部１０５、２０５、３０５、４０５にスムーズに受け渡すことができる。
【００３１】
図７、図８の他の実施例（１）（２）の場合には、傾斜面１２１、２２１は、上方に向けて凹んだ曲面を有する。これらの傾斜面１２１、２２１は、下方ほど傾斜角度が大きくなるから、傾斜面１２１、２２１を落下する水に勢いがつきやすく、落下しやすい。これに対して、図１０の他の実施例（４）の場合には、傾斜面４２１が下方に向けて膨らんだ曲面とされており、この場合には、下方ほど傾斜角度が小さくなる。よって、水の勢いは、下に行く程、小さくなってしまう。また、図９の他の実施例（３）の場合には、傾斜面３２１は、その断面が略直線状であり、この場合には、傾斜面３２１を下る水にはあまり勢いがつかない。よって、図７、図８の他の実施例（１）（２）の場合は、図１０、図９の他の実施例（４）（３）の場合よりもより短時間で水を除去できるから好ましい。
また、図１０の他の実施例（４）の場合には、傾斜面４２１を水が下る際に、斜面４２１の下端部４２１Ｂに到達する前に、水が傾斜面４２１から離れてしまうおそれがある。よって、傾斜面４２１の下端部４２１Ｂ、及び便器本体部４０５の上端部の辺りに水が流れず、この辺りを洗浄できない可能性がある。すなわち、洗浄残りが発生するおそれがある。従って、この観点からも、図７の他の実施例（１）の場合は、図１０の他の実施例（４）の場合よりも好ましい。
なお、図７〜図１０に示す他の実施例（１）〜（４）のように、便座１０３、２０３、３０３、４０３を用いた場合にも、吐水口１７によって、内側から外側へ向けて吐水するので、便座１０３、２０３、３０３、４０３の開口７から、便座１０３、２０３、３０３、４０３の上面１０３Ｂ、２０３Ｂ、３０３Ｂ、４０３Ｂへ水が這い上がることを抑制できる。
【００３２】
また、図７の他の実施例（１）に示すように、傾斜面１２１の下端部１２１Ｂは、便器本体部１０５の内側面１０５Ｂに、ほぼ段差がなく連続的に接続する態様が好ましい。この構成にすることで、水を傾斜面１２１から便器本体部１０５に、よりスムーズに受け渡すことができる。一般的に複数の部材を組み合わせた場合に、その接続部分に段差があると、接続部分に汚れが溜まりやすい。図７の他の実施例（１）の態様では、傾斜面１２１の下端部１２１Ｂと、便器本体部１０５の内側面１０５Ｂとの間に、ほぼ段差がないから、この接続部分に汚れが溜まることを抑制できる。
【００３３】
図８の他の実施例（２）の態様では、傾斜面２２１の下端部２２１Ｂが、便器本体部２０５の上面部２０５Ａよりも内側に配置されることで、洗浄の水が外側に飛び出すことを抑制できる。
【００３４】
（２）便座装置において、下面に付着した水を落とす落下装置を備えていてもよい。落下装置を用いると、重力のみを利用した場合に比べて、より短時間で付着した水を除去できる。ここで落下装置としては、特に限定されなく、幅広い装置を採用することができる。例えば、便座の下面に向けて風を送る送風装置が例示される。この送風装置を用いると、風により水滴に対して力を作用させることができる。そして、この力の傾斜面方向の分力が、水滴が傾斜面を滑り落ちるスピードを加速させて、より短時間で付着水を除去することができる。送風装置から風を送るタイミングは、特に限定されない。例えば、便座の下面の洗浄と、送風とを同時に行ってもよいが、両者を必ずしも同時に行う必要はない。例えば、便座の下面に水をかけて洗浄した後に、送風する構成が考えられる。このように、便座の下面の洗浄と、送風とを連動させて行ってもよい。このような連動は、自動的に行われることが好ましい。なお、送風の仕方は、特に限定されないが、便座の下面に沿って旋回状に送風することができ、その場合はより効率的に水を落下させることができる。
また、落下装置として、便座を微振動させる振動装置を例示できる。この振動装置を用いると、水滴が微振動して、傾斜面をより速く滑り落ちるので、短時間で付着水を除去することができる。振動の周期等は、特に限定されない。
また、振動装置によって振動させるタイミングは、特に限定されない。例えば、便座の下面の洗浄と、振動とを同時に行ってもよいが、両者を必ずしも同時に行う必要はない。例えば、便座の下面に水をかけて洗浄した後に、振動する構成が考えられる。このように、便座の下面の洗浄と、振動とを連動させて行ってもよい。このような連動は、自動的に行われることが好ましい。
【００３５】
（３）便器本体部の洗浄と、便座の下面の洗浄のタイミングは、任意である。例えば、両者を同時に行ってもよいが、両者の洗浄を必ずしも同時に行う必要はない。便座の下面の洗浄のみを単独で行うことができる構成としてもよい。例えば、便座の下面の洗浄を行うための特別のスイッチを設ける構成が好適に例示される。また、特別なスイッチを用いなくても、既存のスイッチに便座の下面の洗浄を開始する機能を付与してもよい。
【００３６】
（４）実施例１では、吐水口は、上下方向に薄く、かつ幅方向に広い扁平なスリットを有することとした。この形態のスリットを用いることで、水を薄い膜状にすることができ、幅広い範囲を効率的に洗浄することができる。但し、本発明において、吐水口の形状は特に限定されない。例えば、吐水口は、円筒形、角筒形等の吐水可能な各種形状をなしていてもよい。
【００３７】
（５）実施例１、２、他の実施例（１）〜（４）では、吐水口は、傾斜面の上端部に配されている例を示したが、吐水口の位置は、傾斜面の上端部からずれた位置であってもよい。但し、吐水口の位置は、傾斜面の上端部の近傍が好ましい。傾斜面の上端部の近傍に吐水口を配置すると、傾斜面の幅広い範囲を洗浄することができるからである。
【００３８】
（６）実施例１では、便座の下面は、撥水処理が施されている例を示したが、便座の下面は、撥水処理されていなくてもよい。
【００３９】
（７）実施例１、２では、特定の数の吐水口を有する例を示したが、吐水口の数は、便座の形状、大きさ等に応じて適宜選択される。
【００４０】
（８）便座、便器本体部の材質は特に限定されず、適宜、公知の材料が適用される。
【００４１】
（９）吐水される洗浄用の水は、特に限定されない。ミストとして吐水してもよいし、温水、除菌水（次亜塩素酸水や銀イオン水など）を吐水してもよい。
【符号の説明】
【００４２】
１…便座装置
３，１０３，２０３，３０３，４０３…便座
３Ａ，１０３Ａ，２０３Ａ，３０３Ａ，４０３Ａ…下面
３Ｂ，１０３Ｂ，２０３Ｂ，３０３Ｂ，４０３Ｂ…上面
５，１０５，２０５，３０５，４０５…便器本体部
５Ａ、１０５Ａ、２０５Ａ、３０５Ａ、４０５Ａ…上面部
５Ｂ、１０５Ｂ、２０５Ｂ、３０５Ｂ、４０５Ｂ…内側面（便鉢面）
７…開口
９…環状部
１１…ケーシング
１３…便座洗浄装置の給水バルブ装置
１５…内周縁
１７，１１７，２１７…吐水口
１９…連結管
２１，１２１，２２１，３２１，４２１…傾斜面
２１Ａ…上端部
２１Ｂ，１２１Ｂ，２２１Ｂ，３２１Ｂ，４２１Ｂ…下端部
【図１】
2018051145.tif 000003
【図２】
2018051145.tif 000004
【図３】
2018051145.tif 000005
【図４】
2018051145.tif 000006
【図５】
2018051145.tif 000007
【図６】
2018051145.tif 000008
【図７】
2018051145.tif 000009
【図８】
2018051145.tif 000010
【図９】
2018051145.tif 000011
【図１０】
2018051145.tif 000012